(57)【要約】【課題】ゲーム機に投入するためのメダルを運ぶ手間を減らすことができるとともに、プレイヤが実際にプレイを実感することができるメダル投入装置及びゲーム機を提供する。【解決手段】メダル投入装置４は、複数のメダルＭが載置されるメダル載置部４ａと、メダル載置部４ａに連設され、メダルＭをガイドするメダルガイド溝４ｂと、メダルガイド溝４ｂの終端部に設けられ、メダルガイド溝４ｂにガイドされたメダルＭが投入されるメダル投入孔４ｃ，４ｄと、メダル投入孔に投入されたメダルＭをゲーム機１内に投入するメダル投入部４ｅ，４ｆとを備える。【選択図】図２
2010110439.tif 000002
【特許請求の範囲】
【請求項１】
複数のメダルが載置されるメダル載置部と、
前記メダル載置部に連設され、メダルをガイドするメダルガイド部と、
前記メダルガイド部の終端部に設けられ、前記メダルガイド部にガイドされたメダルが投入されるメダル投入孔と、
前記メダル投入孔に投入されたメダルをゲーム機内に投入する投入部と、
を備えるメダル投入装置。
【請求項２】
請求項１に記載のメダル投入装置において、
前記メダルガイド部の両端部に２つの前記メダル投入孔が設けられ、
前記各メダル投入孔に投入されたメダルを、前記ゲーム機内に投入する２つの前記投入部が設けられていること、
を特徴とするメダル投入装置。 
【請求項３】
請求項１又は請求項２に記載のメダル投入装置において、
このメダル投入装置を鉛直方向の軸回りに回転可能に保持する回転保持部を備えること、
を特徴とするメダル投入装置。
【請求項４】
請求項１から請求項３までのいずれか１項に記載のメダル投入装置と、
複数のメダルが載置可能であり、前記メダル投入装置から投入されたメダルが載置されることにより、メダルをメダル落下部の方向に押し出して移動するメダルプッシャ部と、
前記メダル落下部へのメダル落下に応じて、外部にメダルが払い出されるメダル払い出し口と、
を備えるゲーム機。
【請求項５】
請求項４に記載のゲーム機において、
プレイフィールドに設けられ、メダルが入賞するメダル入賞部と、
複数のメダルを貯留するメダル貯留部と、
前記メダル貯留部の前記メダルを前記メダルプッシャ部に放出するメダル放出部と、
所定の時間内に、前記メダル入賞部へのメダル入賞に応じて、前記メダル貯留部を制御して、前記メダル貯留部の複数のメダルを前記メダルプッシャ部の上に新たに放出する制御部と、
を備えるゲーム機。
【発明の詳細な説明】
【技術分野】
【０００１】
本発明は、ゲーム機の内部にメダルを投入するメダル投入装置及びゲーム機に関するものである。
【背景技術】
【０００２】
従来、メダルプッシャゲーム機等には、メダルをゲーム機に射出するためのメダル射出器が設けられていた（例えば、特許文献１）。
しかし、従来のメダル射出器では、プレイヤは、メダルを投入部まで逐次運ぶ必要があり、メダルをゲーム機に射出するための動作が煩わしかった。
また、従来、複数のメダルを貯留しておいて、投入部に投入されたそのメダルとは異なる貯留メダルを、ゲーム機に投入するタイプのメダル射出器もあった。しかし、このタイプのメダル射出器では、実際に投入したメダルとは異なるメダルが射出するので、プレイヤが違和感を感じる場合があり、実際にプレイしているという実感を減退させていた。
【特許文献１】特開２００６−１１６２１４号公報
【発明の開示】
【発明が解決しようとする課題】
【０００３】
本発明の課題は、ゲーム機に投入するためのメダルを運ぶ手間を減らすことができるとともに、プレイヤが実際にプレイを実感することができるメダル投入装置及びゲーム機を提供することである。
【課題を解決するための手段】
【０００４】
本発明は、以下のような解決手段により、課題を解決する。なお、理解を容易にするために、本発明の実施形態に対応する符号を付して説明するが、これに限定されるものではない。但し、符号を付して説明した構成は、適宜改良してもよく、また、少なくとも一部を他の構成物に代替してもよい。
【０００５】
請求項１の発明は、複数のメダル（Ｍ）が載置されるメダル載置部（４ａ，２０４ａ）と、前記メダル載置部に連設され、メダルをガイドするメダルガイド部（４ｂ，２０４ｂ）と、前記メダルガイド部の終端部に設けられ、前記メダルガイド部にガイドされたメダルが投入されたメダル投入孔（４ｃ，４ｄ）と、前記メダル投入孔に投入されたメダルをゲーム機内に投入する投入部（４ｅ，４ｆ）と、を備えるメダル投入装置である。
請求項２の発明は、請求項１に記載のメダル投入装置において、前記メダルガイド部の両端部に２つの前記メダル投入孔（４ｃ，４ｄ）が設けられ、前記各メダル投入孔に投入されたメダル（Ｍ）を、前記ゲーム機内に投入する２つの前記投入部（４ｅ，４ｆ）が設けられていること、を特徴とするメダル投入装置である。
請求項３の発明は、請求項１又は請求項２に記載のメダル投入装置において、このメダル投入装置を鉛直方向（Ｚ）の軸回りに回転可能に保持する回転保持部（４ｇ）を備えること、を特徴とするメダル投入装置である。
【０００６】
請求項４の発明は、請求項１から請求項３までのいずれか１項に記載のメダル投入装置と、複数のメダル（Ｍ）が載置可能であり、前記メダル投入装置（４，２０４）から投入されたメダルが載置されることにより、メダルをメダル落下部（８ｇ）の方向に押し出して移動するメダルプッシャ部（８）と、前記メダル落下部へのメダル落下に応じて、外部にメダルが払い出されるメダル払い出し口（９）と、を備えるゲーム機である。
請求項５の発明は、請求項４に記載のゲーム機において、プレイフィールド（Ｆ）に設けられ、メダル（Ｍ）が入賞するメダル入賞部（８ｄ）と、複数のメダルを貯留するメダル貯留部（２３）と、前記メダル貯留部の前記メダルを前記メダルプッシャ部（８）に放出するメダル放出部（７ｅ）と、所定の時間内に前記メダル入賞部（８ｄ）へのメダル入賞に応じて、前記メダル貯留部を制御して、前記メダル貯留部の複数のメダルを前記メダルプッシャ部の上に新たに放出する制御部（２６）と、を備えるゲーム機である。
【発明の効果】
【０００７】
本発明によれば、以下の効果を奏することができる。
（１）本発明は、メダル載置部にメダルガイド部が連設されているので、プレイ時にメダル載置部にメダルを載置しておけば、メダルガイド部を利用してゲーム機にメダルを容易に投入することができる。また、ゲーム機のメダル払い出し口から、メダルを投入装置に逐次運ぶ手間を減らすことができる。さらに、プレイヤは、メダル払い出し口等のメダルを手でメダル載置部に運んで、その運んだメダルを実際にゲーム機内に投入できる。つまり、投入されたメダルとは異なるメダルを射出するタイプとは異なるので、プレイヤが実際にプレイしているという実感を向上することができる。
（２）本発明は、２つの各メダル投入孔に投入されたメダルを、ゲーム機内に投入する２つの投入部が設けられているので、１つのメダル投入装置から２通りの経路でメダルを投入できるといった新しい態様のメダル投入装置を提供することができる。また、２つの投入部を有し大量にメダルを投入できる形態であっても、メダル載置部を有するので、プレイヤは、メダルを逐次運ぶ手間を減らすことができる。
【０００８】
（３）本発明は、鉛直方向の軸回りに回転可能に保持する回転保持部を備えるので、ゲーム機の所望の位置にメダルを投入することができる。また、上記（２）のように、メダル投入装置に対して２つの投入部が設けられている場合には、一方の投入部の向きを変えようとすると、もう一方の投入部の向きも変わってしまう面白い態様のメダル投入装置を提供することができる。
（４）本発明は、メダルがメダル落下部へと落下したことに応じて、メダル払い出し口にメダルが払い出されるので、プレイヤは、メダル払い出し口に払い出されたメダルを、メダル載置部に載置して、そのメダルをゲーム機に投入することができる。つまり、投入されたメダルとは異なるメダルを射出するタイプとは異なり、プレイヤが実際にプレイしているという実感を向上することができる。
【０００９】
（５）本発明は、所定の時間内に、メダル入賞口にメダル入賞すると複数のメダルをプッシャ部に放出するので、プッシャ部からメダル払い出し口に複数のメダルを落下することになる。この場合、プレイヤは、所定の時間内に、多くのメダルをメダル入賞口に入賞させために、より多くのメダルをゲーム機に投入しなければならない。このような場面であっても、プレイヤは、メダル払い出し口等のメダルをメダル載置部に載置して溜めておくことができるので、慌てることなくプレイを進行することができ、メダルを床に落としたりすることも減らすことができる。
【発明を実施するための最良の形態】
【００１０】
本発明は、ゲーム機に投入するためのメダルを運ぶ手間を減らすことができるとともに、プレイヤが実際にプレイを実感することができるメダル投入装置及びゲーム機を提供するという目的を、複数のメダルが載置されるメダル載置部と、メダル載置部に連設され、メダルをガイドするメダルガイド部と、メダルガイド部の終端部に設けられ、メダルガイド部にガイドされたメダルが投入されたメダル投入孔と、メダル投入孔に投入されたメダルをゲーム機内に投入する投入部と、を備えることによって実現した。
【００１１】
（第１実施形態）
以下、図面等を参照して、本発明の第１実施形態について説明する。
図１は、第１実施形態のメダル投入装置が用いられるゲーム機１の斜視図である。
図１に示すように、ゲーム機１は、プッシャーゲームを行うためのものであり、ゲームセンタ等に設置される。ゲーム機１は、左右方向Ｘの幅２ｍ程度、奥行方向Ｙの長さ１．５ｍ程度、鉛直方向Ｚの高さ２ｍ程度の大型の装置であり、内部にプレイフィールドＦが設けられている。
ゲーム機１は、プレイフィールドＦと、ケース２と、ウィンドウ３と、メダル投入装置４と、ゲーム盤面７と、プッシャ台８と、外部払い出し口９と、払い出しメダル収容部１０とを備えている。
【００１２】
プレイフィールドＦは、プレイヤが投入したメダルＭにより実際にプレイが行われる領域であり、プレイフィールドＦにはメダルＭの玉突き現象によりメダルＭを手前側Ｙ１に移動するプッシャ台８が設置される。
【００１３】
ケース２は、ゲーム機１の筐体である。
ウィンドウ３は、プレイフィールドＦとゲーム機１の外部とを仕切るための部材であり、外部からプレイフィールドＦが視認できるように、透明なアクリル等により形成される。
メダル投入装置４は、プレイヤがプレイフィールドＦにメダルＭを投入するための装置であり、ゲーム機１の正面に設けられている。メダル投入装置４の構成は、後述する。
【００１４】
ゲーム盤面７は、メダル放出口５から放出されたメダルＭをプッシャ台８へと落下させる盤面である。ゲーム盤面７は、基材パネル７ａと、複数のピン７ｂと、透明パネル７ｃと、スロット７ｄと、大量放出口７ｅとを備えている。
基材パネル７ａは、透明パネル７ｃとの間に隙間を有するように配置され、メダル放出口５から放出されたメダルＭを、この隙間を通してプッシャ台８へと落下させるための板状の部材である。
【００１５】
複数のピン７ｂは、メダル放出口５から放出されたメダルＭを、不規則な方向に変換させながら落下させるための軸体である。ピン７ｂは、基材パネル７ａに打ち付けられている。
透明パネル７ｃは、メダルＭがゲーム盤面７を落下しているときに、プッシャ台８側に飛び出さないようにするための部材である。透明パネル７ｃは、落下しているメダルＭを視認できるように、アクリル等の透明な材料により形成される。
【００１６】
スロット７ｄは、例えば、７セグメントの表示装置を左右に３つ連設した装置であり、制御部２６（図６参照）によって制御され、３桁の数字の乱数表示を行う。後述するように、制御部２６は、入賞部８ｄにメダルＭが入賞すると、入賞センサ（図示せず）からの検出信号に応じてスロット７ｄを駆動して抽選を行う。
大量放出口７ｅは、スロット７ｄの抽選結果に応じて大量のメダルＭをプレイフィールドＦに払い出すための開口孔である。メダル放出口５は、ゲーム盤面７内の上部に配置されている。
【００１７】
プッシャ台８は、プレイフィールドＦに配置されており、複数のメダルＭを載置し、メダルＭを手前側Ｙ１に押し出す装置である。プッシャ台８は、押出しテーブル８ａと、入賞部８ｄと、入賞センサ８ｅと、固定テーブル８ｆとを有している。
押出しテーブル８ａは、メダル放出口５から落下してきたメダルＭや、大量放出口７ｅから払い出されたメダルＭを受け止め、載置するためのテーブルである。押出しテーブル８ａは、固定テーブル８ｆに対して奥行方向Ｙに往復移動するように、モータ等から構成された駆動装置が設けられている。
入賞部８ｄは、押出しテーブル８ａの手前側Ｙ１の正面に設けられている。入賞部８ｄは、メダル投入装置４から投入され固定テーブル８ｆ上を転がってきたメダルＭの入賞孔であり、本実施形態では、４つの入賞部８ｄが左右方向Ｘに並べて設けられている。
入賞センサ８ｅは、入賞部８ｄ内部に設けられた光学センサ等であり、入賞部８ｄに入賞したメダルＭを検出する。入賞センサ８ｅは、入賞したメダルＭを検知すると、検出信号を制御部２６（図５参照）に出力する。
【００１８】
固定テーブル８ｆは、押出しテーブル８ａの下側に配置され、押出しテーブル８ａから落下したメダルＭや、メダル投入装置４から投入されたメダルＭを受け止めて、載置するためのテーブルである。固定テーブル８ｆ上のメダルＭは、押出しテーブル８ａの往復移動にともなってメダル落下孔８ｇに落下した場合、アウトホッパ２１（図５参照）に落下する。
【００１９】
外部払い出し口９は、プレイヤが獲得したメダルＭが払い出される払い出し口である。外部払い出し口９には、メダル落下孔８ｇに落下した枚数と同じ枚数のメダルＭがアウトホッパ２１（図５参照）から払い出される。
払い出しメダル収容部１０は、外部払い出し口９から払い出されたメダルＭを収容する部分である。
【００２０】
次に、メダル投入装置４について詳細に説明する。
図２は、第１実施形態のメダル投入装置４の構成を示す斜視図である。
図３は、第１実施形態のメダル投入装置４の構成を拡大して示す斜視図である。
図４は、第１実施形態のメダル投入装置４を左右方向Ｘから見た断面図である。
図２に示すように、メダル投入装置４は、メダル載置部４ａと、メダルガイド溝４ｂと、メダル投入孔４ｃ，４ｄと、メダル投入部４ｅ，４ｆと、支持棒部４ｇと、把持体４ｈ，４ｉとを備えている。
【００２１】
図３、図４に示すように、メダル載置部４ａは、複数のメダルＭが載置される部分であり、メダル投入装置４の手前側Ｙ１の表面に、左右方向Ｘに延在するように形成されている。メダル載置部４ａは、メダル載置部４ａに載置されたメダルＭを奥側Ｙ２に移動しやすくするために、手前側Ｙ１から奥側Ｙ２に至るに従って下側に緩やかに傾斜する曲面状に形成されている。
また、この曲面は、凹状に形成されており、載置されたメダルＭの動きを、ある程度規制して、メダル載置部４ａに例えば１００枚程の多くのメダルＭを載置できるようにしている。
【００２２】
メダルガイド溝４ｂは、メダル載置部４ａに載置されたメダルＭを、メダル投入孔４ｃ，４ｄへとガイドする溝である。メダルガイド溝４ｂは、メダル載置部４ａのメダルＭが移動してきたメダルＭの奥行方向への動きを規制できるように、その断面形状がメダルＭの半径にほぼ等しく、またその曲率がメダル載置部４ａの曲率よりも大きい。
メダルガイド溝４ｂは、その手前側Ｙ１の一端辺が、メダル載置部４ａの奥側Ｙ２の一端辺に接続されており、メダル載置部４ａに連接するように形成される。これによって、プレイヤは、メダル載置部４ａに載置されたメダルＭを、メダル投入孔４ｃ，４ｄへと容易に移動することができる（図４に示す矢印Ａ参照）。
【００２３】
図２、図３に示すように、メダル投入孔４ｃは、メダルガイド溝４ｂの左側Ｘ２の終端部に設けられた孔部である。メダル投入孔４ｃは、左側Ｘ２の縁部が、メダル投入装置４の左側Ｘ２の内側面の位置とほぼ同じ位置に形成されている。これによって、プレイヤがメダルガイド溝４ｂ内のメダルＭを左側Ｘ２の内側面に当て付けることによって、そのメダルＭがメダル投入孔４ｃへと自然に落下するようになっている。メダル投入孔４ｃは、メダル投入部４ｅへと連通しており、メダル投入孔４ｃに落下したメダルＭは、メダル投入部４ｅへと導かれる。
メダル投入孔４ｄは、メダルガイド溝４ｂの右側Ｘ１の終端部に設けられている。メダル投入孔４ｄは、メダル投入孔４ｃと左右対称の形状であり、メダル投入孔４ｃと同様な構成である。メダル投入孔４ｄは、プレイヤがメダルガイド溝４ｂ内のメダルＭを右側Ｘ１の内側面に当て付けることによって、そのメダルＭが自然に落下するようになっている。メダル投入孔４ｄは、メダル投入部４ｆへと連通し、メダル投入孔４ｄに落下したメダルＭは、メダル投入部４ｆへと導かれる。
【００２４】
メダル投入部４ｅ，４ｆは、奥行方向Ｙに延びる長尺体であり、メダルＭが転動できるようにその断面形状が上側に開口するコの字状の部材である。メダル投入部４ｅ，４ｆの先端は、プッシャ台８の方向を向いている。これによって、メダル投入孔４ｃ，４ｄに落下してメダル投入部４ｅ，４ｆへと導かれたメダルＭが、プッシャ台８に向けて投入される。
【００２５】
図２に示すように、支持棒部４ｇは、メダル投入装置４を支持する鉛直方向Ｚに延びる軸体である。支持棒部４ｇは、その中心軸回りに回転可能であり、メダル投入装置４を鉛直方向Ｚの軸回りに回転可能に保持する。
把持体４ｈ，４ｉは、メダル投入装置４の両外側面から、外側に突出するように設けられた軸体である。プレイヤは、メダル投入装置４を回転する場合には、この把持体４ｈ，４ｉの少なくとも一方を手で把持して、奥行方向Ｙに力を加えればよい。
【００２６】
以上説明したメダル投入装置４の使用方法について説明する。
（１）最初に、払い出し口９等の払い出されたメダルＭ等を、メダル載置部４ａに載置する。この場合、プレイヤは、大量のメダルＭをメダル載置部４ａにメダルＭを載置しておけば、その後に、メダル払い出し口９から、メダルＭを逐次運ぶ手間を減らすことができる。
（２）図４に示すように、メダル載置部４ａに載置したメダルＭを、奥側Ｙ２にずらすように移動して（矢印Ａ参照）、メダルガイド溝４ｂに落とし込む。
（３）メダルガイド溝４ｂに落とし込んだ複数枚のメダルＭを直立させて、メダル投入孔４ｃ，４ｄ側に移動する。この場合、メダルＭは、メダルガイド溝４ｂでガイドされる。
【００２７】
（４）メダル投入装置４を回転させて、メダルＭの投入方向を定める。
なお、この場合、メダル投入装置４を回転させれば、メダル投入部４ｅ，４ｆの両方が向いている方向が変更される。このため、一方のメダル投入部４ｅ，４ｆの向きを変えようとすれば、もう一方のメダル投入部４ｆ，４ｅの向きも変わってしまうという面白い態様にすることができる。
（５）メダルガイド溝４ｂの複数枚のメダルＭを、メダル投入装置４の右側Ｘ１及び左側Ｘ２のうちすくなくとも一方の内側面に当て付ける。これによって、メダルＭがメダル投入孔４ｃ又はメダル投入孔４ｄへと落下して、メダル投入部４ｅから定められた方向に投入され、ゲーム機１内に投入される。
【００２８】
このように、メダル投入装置４は、メダル載置部４ａにメダルガイド溝４ｂを連設したので、プレイ時にメダル載置部４ａにメダルＭを載置しておけば、メダルガイド溝４ｂを利用して固定テーブル８ｆにメダルＭを容易に投入することができる。
また、メダル投入装置４は、メダル載置部４ａに運ばれたそのメダルＭを、実際にゲーム機内に投入する。これによって、プレイヤは、投入したそのメダルＭを投入できるので、実際にプレイしているという実感を向上することができる。
【００２９】
さらに、メダル投入装置４は、メダル投入孔４ｃ，４ｄに投入されたメダルを、それぞれメダル投入部４ｅ，４ｆから投入するので、１つの投入装置によって２通りの経路でメダルＭを投入する新しい態様のゲームを提供することができる。このように、２通りの経路でメダルＭを投入することによって、メダル投入装置４は、大量にメダルＭを投入できるが、この場合でも、メダル載置部４ａを有しているので、メダルを逐次運ぶ手間を減らすことができる。
【００３０】
図５は、第１実施形態のゲーム機１の内部構造を示す縦断面図である。
ゲーム機１は、アウトホッパ２１、貯留ホッパ２３と、記憶部２５と、制御部２６等とを備えている。
アウトホッパ２１は、プッシャ台８の手前側Ｙ１のメダル落下孔８ｇから落下してきたメダルＭを回収し、アウトホッパメダル送出装置２２を駆動して、メダル落下孔８ｇから落下してきたメダルＭと同じ枚数のメダルＭを、順次外部払い出し口９に払い出す。
貯留ホッパ２３は、ゲーム機１内に放出するメダルＭを収容し、後述するイベント時に、貯留ホッパメダル送出装置２４を駆動して、メダルＭを大量放出口７ｅから放出する。
【００３１】
記憶部２５は、ゲーム機１の動作に必要なプログラム、情報等を記憶するためのハードディスク、半導体メモリ等の記憶装置である。
制御部２６は、ゲーム機１を統括的に制御するための制御部であり、例えばＣＰＵ（中央処理装置）等から構成される。制御部２６は、記憶部２５に記憶されたゲームのプログラムを適宜読み出して実行する。
【００３２】
次に、ゲーム機器１の動作を説明する。
プレイヤがメダル投入装置４から投入したメダルＭが入賞部８ｄにメダルＭが入賞すると、制御部２６は、入賞センサ（図示せず）からの検出信号に応じてスロット７ｄ（図１参照）を駆動して抽選を行う。そして、当たりの場合（例えば、スロットが「７７７」と表示される場合等）には、イベントを開始する。イベント時には、制御部２６は、所定の時間（例えば１分間程度）の間、入賞部８ｄにさらにメダルＭが入賞したときに、貯留ホッパメダル送出装置２４を駆動して、例えば１０枚程度のメダルＭを、大量放出口７ｅから放出するような制御を行う。放出されたメダルＭは、プッシャ台８上に落下し、これによって、プッシャ台８のメダルＭは、手前側Ｙ１に移動してプッシャ台８から落下して、プレイヤよって獲得される。
【００３３】
プレイヤは、イベント時に多くのメダルＭを入賞させるためには、短時間でより多くのメダルＭを、ゲーム機１内に投入しなければならない。このような場面であっても、ゲーム機１は、メダル投入装置４を備えているので、プレイヤは、メダル払い出し口９等のメダルＭをメダル載置部４ａに載置して溜めておくことができるため、短時間でより多くのメダルＭを投入することができる。また、プレイヤは、ゲーム機に投入するためのメダルＭを運ぶ手間がへるので、慌てることなくプレイを進行することができ、メダルＭを床に落としたりすることも減らすことができる。
【００３４】
（第２実施形態）
次に、本発明を適用したゲーム機１の第２実施形態について説明する。
なお、以下の説明及び図面において、前述した第１実施形態と同様の機能を果たす部分には、同一の符号又は末尾に同一の符号を付して、重複する説明を適宜省略する。
【００３５】
図６は、第２実施形態によるメダル投入装置２０４を示す図である。
メダル投入装置２０４は、第１実施形態のメダル投入装置４のメダル投入孔４ｃ，４ｄ、メダル投入部４ｅ，４ｆのうち、右側Ｘ１のメダル投入孔４ｄ、メダル投入部４ｆを取り除き、左側Ｘ２のメダル投入孔４ｃ、メダル投入部４ｅのみとした構成である。
メダル投入装置２０４は、このように、メダルＭの投入経路が１つの構成であっても、メダル載置部２０４ａにメダルＭを載置しておけば、メダルガイド溝４ｂを利用して固定テーブル８ｆにメダルＭを容易に投入することができる。
【００３６】
以上説明した構成によって、メダル投入装置２０４は、メダル載置部２０４ａに載置されたメダルＭを、メダルガイド溝２０４ｂを利用してゲーム機１にメダルＭを投入することができ、プレイヤのメダル投入動作を容易にすることができる。
【００３７】
以上、本発明の実施形態について説明したが、本発明は、前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。
【図面の簡単な説明】
【００３８】
【図１】本発明の第１実施形態のメダル投入装置が用いられるゲーム機を示す斜視図である。
【図２】第１実施形態のメダル投入装置の構成を示す斜視図である。
【図３】第１実施形態のメダル投入装置の構成を拡大して示す斜視図である。
【図４】第１実施形態のメダル投入装置を左右方向から見た断面図である。
【図５】第１実施形態のゲーム機の内部構造を示す縦断面図である。
【図６】第２実施形態のメダル投入装置を示す斜視図である。
【符号の説明】
【００３９】
１  ゲーム機
４，２０４  メダル投入装置
８  プッシャ台
９  外部払い出し口
４ａ，２０４ａ  メダル載置部
４ｂ，２０４ｂ  メダルガイド溝
４ｃ，４ｄ  メダル投入孔
４ｅ，４ｆ  メダル投入部
【図１】
2010110439.tif 000003
【図２】
2010110439.tif 000004
【図３】
2010110439.tif 000005
【図４】
2010110439.tif 000006
【図５】
2010110439.tif 000007
【図６】
2010110439.tif 000008